(57)【要約】【課題】視聴する番組の選択や録画予約等の際に、放送系列名によって目的とする放送番組を選択或いは特定できること。【解決手段】放送チャンネル番号ｄ１１と、これに対応付けられた放送系列名ｄ１４を含むチャンネル情報ｄ１を記憶しておき、これに基づいて、例えば、複数の放送局の中から選択された特定の放送局（現選択チャンネルの放送局）により放送中の番組映像ｇ１０（放送番組に関する映像の一例）と、チャンネル情報ｄ１（放送局・放送系列対応情報の一例）における現選択チャンネルに対応する放送系列名ｄ１４の映像ｇ１３とを併せた映像をモニタ画面２１に表示させる。また、放送系列名を含むキーワード情報とＥＰＧ情報とに基づいて、キーワード情報に対応する放送番組を特定し、その放送番組の信号をテレビジョン放送信号から抽出する。【選択図】図４
2007116229.tif 000002
【特許請求の範囲】
【請求項１】
テレビジョン放送信号を受信して放送番組に関する映像を所定の表示手段に表示させるテレビジョン受像機であって、
放送局の識別情報とこれに対応付けられた放送系列名情報とを含む放送局・放送系列対応情報を記憶する放送局・放送系列対応情報記憶手段と、
前記放送番組に関する映像と該放送番組を放送する放送局に対応する前記放送系列名情報の映像とを併せて前記表示手段に表示させる放送系列名情報出力手段と、
を具備してなることを特徴とするテレビジョン受像機。
【請求項２】
前記放送局・放送系列対応情報記憶手段が、複数の前記放送局・放送系列対応情報を放送の受信地域を識別する地域識別情報ごとに予め記憶するものであり、
複数の前記地域識別情報の中から一の地域識別情報を選択する地域選択手段と、
前記地域選択手段により選択された前記地域識別情報に基づいて複数の前記放送局・放送系列対応情報の中から前記放送系列名情報出力手段において参照される一の前記放送局・放送系列対応情報を特定する放送局・放送系列対応情報特定手段と、
を具備してなる請求項１に記載のテレビジョン受像機。
【請求項３】
放送の受信地域を識別する複数の地域識別情報の中から一の地域識別情報を選択する地域選択手段と、
前記地域選択手段により選択された前記地域識別情報に対応する前記放送局・放送系列対応情報を外部装置から通信媒体を通じて取得し、前記放送局・放送系列対応情報記憶手段に格納する放送局・放送系列対応情報格納手段と、
を具備してなる請求項１に記載のテレビジョン受像機。
【請求項４】
前記放送系列名情報出力手段が、複数の放送局の中から選択された特定の放送局により放送中の番組映像である前記放送番組に関する映像に、前記放送局・放送系列対応情報における前記特定の放送局に対応する前記放送系列名情報の映像を重畳した映像を前記表示手段に表示させる第１の放送系列名情報出力手段を有してなる請求項１〜３のいずれかに記載のテレビジョン受像機。
【請求項５】
少なくとも前記放送局の識別情報とこれに対応付けられた放送番組の内容情報とを含むＥＰＧ情報を取得するＥＰＧ情報取得手段を具備してなる請求項１〜４のいずれかに記載のテレビジョン受像機。
【請求項６】
前記放送系列名情報出力手段が、前記ＥＰＧ情報取得手段により取得された前記ＥＰＧ情報に含まれる前記放送番組の内容情報が編成された番組ガイドの映像である前記放送番組に関する映像に、前記放送局・放送系列対応情報において前記ＥＰＧ情報に含まれる前記放送局の識別情報に対応する前記放送系列名情報の映像を重畳した映像を前記表示手段に表示させる第２の放送系列名情報出力手段を有してなる請求項５に記載のテレビジョン受像機。
【請求項７】
前記放送系列名情報出力手段が、前記放送番組に関する映像及び前記放送系列名情報の映像と併せて、該放送系列名情報に対応し前記ＥＰＧ情報に含まれる放送局名情報の映像を前記表示手段に表示可能に構成されてなる請求項５又は６のいずれかに記載のテレビジョン受像機。
【請求項８】
前記放送局・放送系列対応情報における前記放送系列名情報を含むキーワード情報を入力するキーワード情報入力手段と、
前記キーワード情報入力手段により入力された前記キーワード情報と前記ＥＰＧ情報とに基づいて特定の放送番組を特定する放送番組特定手段と、
前記テレビジョン放送信号から前記放送番組特定手段手段により特定された放送番組の番組映像を抽出する特定番組映像抽出手段と、
具備してなる請求項５〜７のいずれかに記載のテレビジョン受像機。
【請求項９】
前記放送局の識別情報が、放送チャンネル番号、放送局名又は放送局コードである請求項１〜８のいずれかに記載のテレビジョン受像機。
【発明の詳細な説明】
【技術分野】
【０００１】
本発明は、テレビジョン放送信号を受信して放送番組に関する映像を所定の表示手段に表示させるテレビジョン受像機に関するものである。
【背景技術】
【０００２】
地上波放送やＣＳ放送、有線放送等のテレビジョン放送信号を受信して放送番組に関する映像を、内蔵或いは外部接続された液晶表示装置等のモニタ画面（表示手段）に表示させるテレビジョン受像機では、例えば、特許文献１に示されるように、ＥＰＧ情報（電子番組ガイド情報）の映像をモニタ画面に表示させる機能を備えるものがある。
一般に、ＥＰＧ情報には、放送チャンネル番号と放送局名と放送番組の内容情報（番組名や放送時刻帯、ジャンル、出演者等）とが関連付けられた情報が含まれる。また、テレビジョン受像機は、そのようなＥＰＧ情報を、テレビジョン放送信号から抽出することにより、或いはインターネット等のネットワークに対する通信インターフェースを備える場合には、そのネットワークを通じて外部装置から受信することにより取得する。
【特許文献１】特開平１−３０７９４４号公報
【発明の開示】
【発明が解決しようとする課題】
【０００３】
ところで、前述したようにＥＰＧ情報には放送局名が含まれるが、この放送局名は、その放送系列が同じであっても地域によって異なる。例えば、「日本テレビ」系列の放送局名は、北海道では「札幌テレビ」、愛知県では「中京テレビ」、愛媛県では「南海放送」であり、事前知識がなければ、放送局名からその放送系列を判断することはできない。同様に、同一の放送系列であっても、その放送局が割り当てられている放送チャンネルも地域によって異なり、事前知識がなければ、放送チャンネルによっても放送系列を判断することはできない。
一方、テレビの視聴者は、興味のある放送番組をその放送系列名とともに記憶している場合が多い。例えば、フジテレビ系列で月曜午後９時から放送されるドラマ（いわゆる「月９」）や、日本テレビ系列で火曜午後９時から放送されるドラマ（火曜サスペンス劇場）等である。
しかしながら、視聴したい放送番組を放送系列名で把握している利用者にとっては、視聴する番組の選択や録画予約、或いは指定された放送番組の放送開始時にモニタ画面を自動起動してその映像を表示させる自動起動予約等の際に、モニタ画面にチャンネル番号や放送局名が表示されたとしても、目的とする放送番組を、チャンネル切り替え操作で選択することや、録画予約機能におけるキーワード検索等により特定することが容易でないという問題点があった。特に、利用者が、放送系列と放送チャンネルや放送局との対応関係が異なる地域に住所を移転した場合等には、新しいチャンネル体系に慣れるまで、チャンネル選択（放送局の選択）に戸惑うため、非常に利便性が悪い。
従って、本発明は上記事情に鑑みてなされたものであり、その目的とするところは、視聴する番組の選択や録画予約等の際に、放送系列名によって目的とする放送番組を選択或いは特定できるテレビジョン受像機を提供することにある。
【課題を解決するための手段】
【０００４】
上記目的を達成するために本発明は、テレビジョン放送信号を受信して放送番組に関する映像を所定の表示手段に表示させるテレビジョン受像機に適用されるものであり、放送番組を放送する放送局の識別情報とこれに対応付けられた放送系列名情報とを含む情報（以下、放送局・放送系列対応情報という）を記憶する記憶手段（以下、放送局・放送系列対応情報記憶手段という）と、前記放送番組に関する映像（例えば、番組映像やＥＰＧ情報等）と、その放送番組を放送する放送局に対応する前記放送系列名情報の映像とを併せて前記表示手段に表示させる手段（以下、放送系列名情報出力手段という）とを具備するテレビジョン受像機として構成されるものである。
これにより、利用者は、視聴する番組の選択や録画予約等の際に、表示手段に表示される放送系列名を手がかりにして、目的とする放送番組を選択或いは特定できるので、放送番組の放送元を放送系列名で把握している利用者の利便性が高まる。
【０００５】
ここで、前記放送局・放送系列対応情報は、放送信号の受信地域（視聴地域）によって異なるため、これを受信地域に応じた適切な情報とする構成としては、以下のようなものが考えられる。
例えば、前記放送局・放送系列対応情報記憶手段に、各受信地域に対応した複数の前記放送局・放送系列対応情報を、放送の受信地域を識別する地域識別情報ごとに予め記憶させておき、その複数の前記地域識別情報の中から一の地域識別情報を選択する手段（以下、地域選択手段という）と、これにより選択された前記地域識別情報に基づいて、複数の前記放送局・放送系列対応情報の中から前記放送系列名情報出力手段において参照される（用いられる）一の前記放送局・放送系列対応情報を特定する手段（以下、放送局・放送系列対応情報特定手段という）とが設けられたものが考えられる。
その他、前述と同様の地域選択手段（放送の受信地域を識別する複数の地域識別情報の中から一の地域識別情報を選択する手段）と、これにより選択された前記地域識別情報に対応する前記放送局・放送系列対応情報を、例えばインターネット上のサーバ装置等の外部装置から通信媒体（ネットワーク）を通じて取得し、それを前記放送局・放送系列対応情報記憶手段に格納する手段（以下、放送局・放送系列対応情報格納手段という）とが設けられたものも考えられる。
前者の構成によれば、外部装置との通信手段を要しない。一方、後者の構成によれば、複数の前記放送局・放送系列対応情報を記憶しておく必要がないので、前記放送局・放送系列対応情報記憶手段の記憶容量を小さくすることができる。
なお、前記地域選択手段は、一般的なテレビジョン受像機が、自動チャンネル設定機能を実現するために、受信地域を識別する地域コードを選択入力する手段として通常備えるものであるので、これを兼用すればよい。
【０００６】
ここで、放送系列名の出力形態としては、以下のようなものが考えられる。
例えば、前記放送系列名情報出力手段が、複数の放送局の中から選択された特定の放送局により放送中の番組映像（放送番組自体の映像、前記放送番組に関する映像の一例）に、前記放送局・放送系列対応情報における前記特定の放送局に対応する前記放送系列名情報の映像を重畳した映像を前記表示手段に表示させる手段（以下、第１の放送系列名情報出力手段という）を有するものが考えられる。
これにより、利用者は、現在表示中の放送番組が、いずれの放送系列から放送されているかを一見して把握でき、これを見ながら目的とする放送番組に対応するチャンネル（放送局）を容易に選択できる。
【０００７】
また、少なくとも前記放送局の識別情報とこれに対応付けられた放送番組の内容情報（番組名や出演者情報等）とを含むＥＰＧ情報を取得する手段（以下、ＥＰＧ情報取得手段という）を具備する場合には、以下のような構成とすることも考えられる。
例えば、前記放送系列名情報出力手段が、前記ＥＰＧ情報取得手段により取得された前記ＥＰＧ情報に含まれる前記放送番組の内容情報が編成された番組ガイドの映像（前記放送番組に関する映像の一例、例えば、放送系列名情報と番組の内容情報とが対応するよう配列された番組表の映像等）に、前記放送局・放送系列対応情報において前記ＥＰＧ情報に含まれる前記放送局の識別情報に対応する前記放送系列名情報の映像を重畳した映像を、前記表示手段に表示させる手段（以下、第２の放送系列名情報出力手段という）を有するものが考えられる。
これにより、番組ガイドの映像の中から目的とする放送番組の内容情報を探し出す際に、放送系列名を手がかりに容易に探し出すことができる。
また、前記放送系列名情報出力手段が、前記放送番組に関する映像及び前記放送系列名情報の映像と併せて、その放送系列名情報に対応し前記ＥＰＧ情報に含まれる放送局名情報の映像を前記表示手段に表示可能に構成されたものも考えられる。これは、放送系列名と放送局名との対応関係を知りたい場合に好適である。
なお、本構成は、前記第１及び第２の放送系列名情報表示手段のいずれにも適用され得る。
【０００８】
また、前記放送局・放送系列対応情報における前記放送系列名情報を含むキーワード情報を入力する手段（以下、キーワード情報入力手段という）と、これにより入力された前記キーワード情報と前記ＥＰＧ情報とに基づいて特定の放送番組を特定する手段（以下、放送番組特定手段という）と、前記テレビジョン放送信号から前記放送番組特定手段手段により特定された放送番組の番組映像を抽出する手段（以下、特定番組映像抽出手段という）とを具備するものであればなお好適である。
これにより、チャンネル番号や放送局名と放送系列名との対応関係を把握していなくても、例えば、録画予約や自動起動予約等の際に、「フジテレビ系列」で「月曜日」の「午後９時」から開始する「ドラマ」、等というキーワード情報を入力することによって目的とする放送番組を特定することができ、その映像がテレビジョン放送信号から自動抽出される。
なお、前記放送局の識別情報としては、例えば、放送チャンネル番号や放送局名、予め放送局ごとに一意に割り当てられた符号である放送局コード等が考えられる。
【発明の効果】
【０００９】
本発明によれば、利用者は、視聴する番組の選択や録画予約等の際に、表示手段に表示される放送系列名を手がかりにして、目的とする放送番組を選択或いは特定できるので、放送番組の放送元を放送系列名で把握している利用者の利便性が高まる。
また、前記放送番組に関する映像及び前記放送系列名情報の映像と併せて、その放送系列名情報に対応し前記ＥＰＧ情報に含まれる放送局名情報の映像を前記表示手段に表示可能に構成すれば、放送系列名と放送局名との対応関係を知りたい利用者に、有益な情報を提供できる点で好適である。
また、前記放送系列名情報を含むキーワード情報を入力可能とし、そのキーワード情報とＥＰＧ情報とに基づいて特定の放送番組を特定及びその特定の放送番組をテレビジョン放送信号から抽出する機能を設ければ、録画予約や自動起動予約等の際に、放送系列名を含むキーワード情報を入力することにより、チャンネル番号や放送局名と放送系列名との対応関係を把握していなくても、容易に目的とする放送番組を特定することができる。
【発明を実施するための最良の形態】
【００１０】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る表示装置の一例であるテレビジョン受像機Ｘの概略構成を表すブロック図、図２はテレビジョン受像機Ｘに記憶されるチャンネル情報の構成例を表す図、図３はテレビジョン受像機Ｘにおける番組映像表示処理の手順を表すフローチャート、図４はテレビジョン受像機Ｘによりモニタ画面に表示される番組映像表示画面の例を表す図、図５はテレビジョン受像機Ｘによりモニタ画面に表示される番組ガイド表示画面の例を表す図、図６はテレビジョン受像機Ｘによりモニタ画面に表示されるキーワード入力画面の例を表す図である。
【００１１】
まず、図１に示すブロック図を用いて、本発明の実施形態に係る表示装置の一例であるテレビジョン受像機Ｘの構成について説明する。
テレビジョン受像機Ｘは、受信されたテレビジョン放送信号に基づいて放送番組に関する映像をモニタ画面に表示させるものである。なお、ここでは、テレビジョン受像機Ｘ自体がモニタ画面を備えている例について示すが、これに限る物ではなく、例えば、録画装置のように、外部接続された表示装置に映像信号を出力することによってそのモニタ画面に映像を出力させるものであってもかまわない。
図１に示すように、テレビジョン受像機Ｘは、複数のチューナ１ａ、１ｂ、１ｃと、外部入力部２と、映像切替回路３と、映像処理回路４と、ＯＳＤ処理回路５と、リモコン７と、制御回路８と、リモコンインターフェース（Ｉ／Ｆ）回路９と、外部出力回路１２と、モニタ画面２１と、音声切替回路１０と、音声処理回路１１と、アンプ２２と、スピーカ２３とを具備している。
前記チューナ１ａ、１ｂ、１ｃは、各々地上波放送信号（テレビジョン放送信号）が入力される地上波チューナ１ａ、ＢＳ衛星放送信号が入力されるＢＳチューナ１ｂ、ＣＡＴＶ放送信号が入力されるＣＡＴＶチューナ１ｃであり、入力された各放送信号から、前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。なお、各放送信号には、複数チャンネル分の映像信号及びその映像と同期した音声信号が重畳されている。
また、前記外部入力部２は、外部からコンポジット方式の映像信号及び音声信号や、セパレート方式の映像信号及び音声信号（いわゆるＳ端子の信号）等の外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１２】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記ＯＳＤ処理回路５に出力する。
前記ＯＳＤ処理回路５は、前記映像処理回路４から伝送される映像信号を前記モニタ画面２１に出力することにより、前記映像処理回路４による処理後の映像信号をそのまま前記モニタ画面２１に表示させるか、その映像信号に前記制御回路８から指示された情報を表示する映像をスーパーインポーズにより重ねた（合成した）映像信号（以下、ＯＳＤ映像信号という）を生成し、そのＯＳＤ映像信号を前記モニタ画面２１に表示させるかを切り替えるものである。
【００１３】
前記モニタ画面２１は、例えば、液晶パネル及びその周辺機器等からなる表示手段であり、前記ＯＳＤ処理回路５から出力される映像信号を表示するものである。
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ｂが実行する処理において読み書き（参照又は書き込み）される設定情報を記憶するＥＥＰＲＯＭ８ｃ等を備え、当該テレビジョン受像機Ｘ全体を制御するものである。
前記リモコンインターフェース回路９は、当該テレビジョン受像機Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャンネル選択キーに対する操作入力の情報が、前記リモコンインターフェース回路９を通じて前記制御回路８に入力され、その操作入力情報に従って、前記制御回路８により、前記チューナ１ａ、１ｂ、１ｃのいずれかに対して選局するチャンネルが指定されるとともに、そのチャンネルの映像が前記モニタ画面２１に表示されるように前記映像切替回路３及び前記ＯＳＤ処理回路５が制御される。
同様に、音量調節が行われる場合、前記リモコン７の音量ボリューム調節キー（音量のアップキーとダウンキー）に対する操作入力情報に従って、前記制御回路８から前記アンプ２２に対して出力音量の調節指令が出力され、その指令に従って前記アンプ２２により前記スピーカ２３に対する出力音量が調節される。
【００１４】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記アンプ２３に出力するものである。
【００１５】
また、前記外部出力回路１２は、外部接続される録画装置（ＤＶＤ録画装置等）等の外部機器に対するインターフェース回路であり、映像処理回路４から出力されるテレビジョン放送の映像信号、及び音声処理回路１１から出力されるテレビジョン放送の音声信号を、制御回路８からの出力指令に応じて外部機器に対して出力するとともに、制御回路８から外部機器に対して出力される制御信号を所定のフォーマットに変換して中継伝送するものである。
例えば、制御回路８は、後述するキーワード録画処理を実行することにより、入力されたキーワード情報とＥＰＧ情報とに基づいて録画対象とする放送番組を特定し、特定された放送番組の放送開始時刻になると、この外部出力回路１２を通じて、接続された外部機器に対してその放送番組の映像信号及び音声信号を出力するとともに、制御信号として録画開始指令信号を送信する。さらに、その放送番組の終了時刻になると、映像信号及び音声信号の出力が停止されるとともに、制御信号として録画終了指令信号を送信する。
これにより、キーワード情報及びＥＰＧ情報により特定された放送番組が、外部機器である録画装置に録画される。
【００１６】
前記ＥＥＰＲＯＭ８ｃには、ＭＰＵ８ａによって参照される設定情報の１つとして、チャンネル情報ｄ１が予め記憶されている。
図２は、ＥＥＰＲＯＭ８ｃに記憶されるチャンネル情報ｄ１の構成例を表すものである。
図２に示すチャンネル情報ｄ１は、テレビジョン放送信号における放送チャンネルの識別情報である放送チャンネル番号ｄ１１と、これに対応付けられたチャンネルキー番号ｄ１２、表示チャンネル番号ｄ１３及び放送系列名ｄ１４を含む情報である。ここで、放送チャンネル番号ｄ１１は、放送局の識別情報の一例であり、これに対応付けられた放送系列名ｄ１４（放送系列名情報の一例）を含むチャンネル情報ｄ１及びこれを記憶するＥＥＰＲＯＭ８ｃは、各々放送局・放送系列対応情報及び放送局・放送系列対応情報記憶手段の一例である。
このチャンネル情報ｄ１は、リモコン７に対する操作入力に応じて行われるチャンネル選択処理の際に制御回路８によって参照される情報である。
即ち、リモコン７のチャンネル選択キーに対する操作入力が行われた際に、制御回路８により、そのキーの番号を表すチャンネルキー番号ｄ１２（通常は、１〜１２）に対応する放送チャンネル番号ｄ１０が特定され、受信したテレビジョン放送信号の中から、その特定された放送チャンネル番号ｄ１０に対応する放送チャンネルの信号（映像信号及び音声信号）が、いずれかのチューナ１ａ〜１ｃによって抽出されて映像切替回路３に出力される。これにより、利用者によって選択されたチャンネルで放送中の番組映像及びその音声が、モニタ画面２１に表示される。
さらに、このチャンネル情報ｄ１は、後述する番組情報表示処理にも用いられる。
【００１７】
ここで、チャンネル情報ｄ１の内容は、テレビジョン放送の受信地域（テレビジョン受像機Ｘの設置地域）により異なる。このため、本実施形態では、受信地域を識別する地域コードｄ１０をチャンネル情報ｄ１に含ませることにより、複数のチャンネル情報ｄ１を、地域コードｄ１０ごとに（放送の受信地域ごとに）ＥＥＰＲＯＭ８ｃに予め記憶している。
そして、制御回路８により、リモコン７を通じた所定の操作入力によりいずれかの地域コードｄ１０が指定（選択）された場合に（地域選択手段の一例）、さらに、制御回路８により、複数のチャンネル情報ｄ１の中から、その指定された地域コードｄ１０に対応する１つのチャンネル情報ｄ１が選択され、その選択情報がＥＥＰＲＯＭ８ｃに記憶される。これにより、当該テレビジョン受像機Ｘの設置地域（受信地域）に対応した１つのチャンネル情報ｄ１が選択されることになる（放送局・放送系列対応情報特定手段の一例）。例えば、指定された地域コードｄ１０（指定地域コード）が、上記選択情報としてＥＥＰＲＯＭ８ｃに記憶され、以後、前述したチャンネル選択処理や後述する番組情報表示処理の際に、記憶地域コードに対応するチャンネル情報ｄ１が参照される。或いは、指定地域コードに対応するチャンネル情報ｄ１のコピーがＥＥＰＲＯＭ８ｃの特定領域に作成され、以後、前述したチャンネル選択処理や後述する番組情報表示処理の際に、そのチャンネル情報ｄ１のコピーが参照される。以下、便宜上、指定地域コードに対応するチャンネル情報ｄ１（選択されたチャンネル情報ｄ１）のことを、指定チャンネル情報ｄ１という。
なお、地域コードｄ１０の指定（選択）は、当該テレビジョン受像機Ｘの初期設定時等に行われる。
【００１８】
次に、図３に示すフローチャートを参照しつつ、制御回路８のＭＰＵ８ｃが所定の制御プログラムを実行することにより実現される番組映像表示処理の手順について説明する。なお、図３に示す処理は、利用者によるリモコン７操作等により、当該テレビジョン受像機Ｘが起動（電源ＯＮ）された場合や、タイマー起動設定等により予め設定された時刻に当該テレビジョン受像機Ｘが自動起動した場合等に開始されるものとする。また、以下に示すＳ１、Ｓ２、…は、処理手順（ステップ）の識別符号を表す。
まず、制御回路８により、不図示のクロックタイマーにより計時される現在時刻が、予め設定されてＥＥＰＲＯＭ８ｃに記憶されたＥＰＧ取得時刻であるか否かが判別される（Ｓ１）。ここで、ＥＰＧ取得時刻であると判別された場合は、ＥＰＧ情報取得処理（Ｓ２）が実行された後に処理がステップＳ３へ移行され、そうでない場合は、そのまま処理がステップＳ３へ移行される。なお、ステップＳ２を実行する制御回路８及びチューナ１ａ〜１ｃが、ＥＰＧ情報取得手段の一例である。
ここで、ＥＰＧ情報の取得は、制御回路８がいずれかのチューナ１ａ〜１ｃを制御することにより、テレビジョン放送信号の予め定められた放送チャンネルに重畳されたＥＰＧ情報の信号を抽出することにより行われる。その他、インターネット等のネットワークを介して通信可能な不図示のネットワークインターフェース（通信手段）を備える場合に、そのネットワークインターフェースを介して外部装置（インターネット上のサーバ装置等）からＥＰＧ情報をダウンロードして取得する構成等も考えられる。
ここで取得されるＥＰＧ情報は一般的なものであり、例えば、放送チャンネル番号と、放送局名と、放送番組の内容情報（番組名や放送時刻帯、ジャンル、出演者等）とが関連付けられた情報を含むものである。なお、放送チャンネル番号は、受信されたテレビジョン放送信号における放送局の識別情報として機能する。
【００１９】
次に、ステップＳ３において、制御回路８により、利用者によるリモコン７の操作によって現時点で選択されている放送チャンネル（以下、現選択チャンネルという）に対応する前記表示チャンネル番号ｄ１３、放送局名、番組名及び前記放送系列名ｄ１４を特定する処理が実行される（Ｓ３）。
具体的には、制御回路８は、ステップＳ２で取得されたＥＰＧ情報を参照することにより、現選択チャンネルに対応する放送局名及び番組名を特定する。さらに、制御回路８は、ＥＥＰＲＯＭ８ｃに記憶された前記指定チャンネル情報ｄ１を参照することにより、現選択チャンネルに対応する（現選択チャンネルと一致する放送チャンネル番号ｄ１１に対応付けられた）表示チャンネル番号ｄ１３及び放送系列名ｄ１４を特定する。
【００２０】
次に、制御回路８により、その主記憶領域或いはＥＥＰＲＯＭ８ｃ等に記憶される可変情報であって、現選択チャンネルの番組映像と併せて表示させる情報の内容によりその内容が区分される表示モード情報が参照され、それがいずれの表示モードに設定されているかが判別され（Ｓ４）、判別結果に応じた映像をモニタ画面２１に表示させる番組情報表示処理（Ｓ５．１〜Ｓ５．４）が実行される。ここでは、以下のモード０〜モード３のいずれに設定されているかが判別されるものとする。なお、図４（ａ）〜（ｃ）に、表示モード情報がモード１〜モード３である場合の画面表示例を表す。
モード０は、現選択チャンネルの番組映像のみをモニタ画面２１に表示させる（Ｓ５．１）モードである。このモード０は、表示モード情報の初期値である。
モード１は、図４（ａ）に示すように、現選択チャンネルの番組映像ｇ１０に、ステップＳ３で特定された表示チャンネル番号ｄ１３（ＣＨ番号）の映像ｇ１１、放送系列名ｄ１４の映像ｇ１３及び番組名の映像ｇ１４を重畳した映像ｇ１をモニタ画面２１に表示させる（Ｓ５．２）モードである。
モード２は、図４（ｂ）に示すように、現選択チャンネルの番組映像ｇ１０に、ステップＳ３で特定された表示チャンネル番号ｄ１３（ＣＨ番号）の映像ｇ１１、放送局名の映像ｇ１２、放送系列名ｄ１４の映像ｇ１３及び番組名の映像ｇ１４を重畳した映像ｇ２をモニタ画面２１に表示させる（Ｓ５．３）モードである。
モード３は、図４（ｃ）に示すように、現選択チャンネルの番組映像ｇ１０に、ステップＳ３で特定された表示チャンネル番号ｄ１３（ＣＨ番号）の映像ｇ１１、放送局名の映像ｇ１２及び番組名の映像ｇ１４を重畳した映像ｇ３をモニタ画面２１に表示させる（Ｓ５．４）モードである。
以上のように各情報の映像ｇ１１〜ｇ１４を番組映像ｇ１０に重畳させる処理は、制御回路８により制御されるＯＳＤ処理回路５により実行される。
なお、ステップＳ５．２及び５．３の処理を実行する制御回路８及びＯＳＤ処理回路５は、複数の放送局の中から選択された特定の放送局（現選択チャンネルの放送局）により放送中の番組映像ｇ１０（放送番組に関する映像の一例）と、前記指定チャンネル情報ｄ１（放送局・放送系列対応情報の一例）における現選択チャンネルに対応する放送系列名ｄ１４の映像ｇ１３とを併せた（重畳した）映像ｇ１、ｇ２をモニタ画面２１に表示させる第１の放送系列名情報出力手段の一例である。
【００２１】
次に、制御回路８により、リモコンインターフェース回路９からの伝送信号に基づいて、リモコン７を通じて表示モードの切り替え操作がなされたか否かを判別する処理（Ｓ６）と、所定の表示モードタイマの計時が終了したか（タイムアップしたか）否かを判別する処理（Ｓ９）と、リモコンインターフェース回路９からの伝送信号に基づいて、リモコン７を通じてチャンネル変更操作（現選択チャンネルの変更操作）がなされたか否かを判別する処理（Ｓ１１）とが行われる。
ここで、ステップＳ６において、表示モードの切り替え操作がなされたと判別された場合は、制御回路８により、その操作内容に従って主記憶領域やＥＥＰＲＯＭ８ｃ等に記憶された前記表示モード情報の内容（モード０〜モード３）が更新され（Ｓ７）、さらに、予め設定された時間（例えば、数秒〜十数秒）を計時する表示モードタイマの計時が開始される（Ｓ８）。表示モードタイマは、例えば、制御回路８が備える不図示のクロック回路等により実現される。
また、ステップＳ９において、ステップＳ８で開始された表示モードタイマの計時が終了した（タイムアップした）と判別された場合は、制御回路８により、前記表示モード情報の内容が初期値である「モード０」に設定（更新）される（Ｓ１０）。
また、ステップＳ１１において、チャンネル変更操作がなされたと判別された場合は、制御回路８により、その操作内容に従って現選択チャンネルの変更処理（Ｓ１２）が行われる。
そして、制御回路８により、リモコンインターフェース回路９からの伝送信号に基づいて、リモコン７を通じて所定の終了操作（電源ＯＦＦ操作等）がなされたか否かが判別され（Ｓ１３）、終了操作が検知されるまで、以上示したステップＳ１〜Ｓ１３の処理が繰り返される。また、ステップＳ１３において終了操作が検知された場合は、当該番組映像表示処理が終了する。
【００２２】
以上示したステップＳ１〜Ｓ１３の処理が繰り返されることにより、表示モード切替操作がなされるごとに、モニタ画面２１に番組映像ｇ１０とともに表示されるその番組或いは放送局に関する情報の映像ｇ１１〜ｇ１４の表示状態（図４参照）が切り替わる。
また、前記表示モードタイマの設定時間が経過するまで表示モード切替操作が検知されなかった場合は、初期値の表示モードであるモード０の表示状態（番組映像ｇ１０のみが表示される状態）となる。
また、チャンネル変更操作がなされるごとに、モニタ画面２１に表示される映像が、新たに選択された放送チャンネル（放送局）で放送中の番組映像ｇ１１と、その番組或いは放送局に関する情報の映像ｇ１１〜ｇ１４とが重畳された映像に切り替えられる。
ここで、ステップＳ５．１及びＳ５．２において、図４（ａ）、（ｂ）に示すように、放送系列名ｄ１４の映像ｇ１３が表示されるので、放送番組の放送元を放送系列名で把握している利用者にとっては、視聴する番組の選択の際に、モニタ画面２１に表示される放送系列名ｄ１４を手がかりに目的とする放送番組を選択でき、利便性が高まる。
また、ステップＳ５．１において、番組映像ｇ１０及び放送系列名ｄ１４の映像ｇ１３と併せて、放送系列名ｄ１４に対応するものであって、ＥＰＧ情報に含まれる放送局名の映像ｇ１２もモニタ画面２１に表示可能であるので、放送系列名ｄ１４と放送局名との対応関係を知りたい場合に好適である。
【００２３】
以上示した実施形態では、現選択チャンネルで放送中の番組映像ｇ１０に放送系列名ｄ１４の映像ｇ１３を重畳して表示させる例を示したが、これに限るものでなく、図５に示すような番組ガイドの映像ｇ４に放送系列名ｄ１４の映像を含めてモニタ画面２１に表示させることも考えられる。
例えば、制御回路８により、前記指定チャンネル情報ｄ１（放送局・放送系列対応情報の一例）を参照することにより、ステップＳ２で取得されたＥＰＧ情報に含まれる放送チャンネル番号（放送局の識別情報の一例）各々に対応する放送系列名ｄ１４を特定し、さらに、制御回路８及びＯＳＤ処理回路５により、図５に示すような番組ガイドの映像ｇ４に、特定した放送系列名ｄ１４の映像ｇ４３を重畳させてモニタ画面２１に表示させることも考えられる（第２の放送系列名情報出力手段の一例）。ここで、番組ガイドの映像ｇ４（放送番組に関する映像の一例）は、制御回路８により、ステップＳ２（図３参照）で取得されたＥＰＧ情報に含まれる放送番組の内容情報（番組名や出演者等ｇ４５や放送時刻帯ｇ４４等）が編成されて生成された映像である。
図５に示す例では、放送チャンネルに対応する前記表示チャンネル番号ｄ１３の映像ｇ４１と、これに対応する放送局の映像ｇ４２と、これに対応する放送系列名ｄ１４の映像ｇ４３とが併せて（並べて）表示されている。
この他、前述した番組映像表示処理（図３）におけるステップＳ４〜Ｓ８の処理と同様に、所定の表示モードの切り替え操作に従って、番組ガイドの映像ｇ４に、放送番組の放送元を表す情報として、表示チャンネル番号ｄ１３と、放送系列名ｄ１４と、ＥＰＧ情報から抽出した放送局名のうちのいずれの１又は複数を含めるかを切り替え可能に構成することも考えられる。
【００２４】
また、放送系列名ｄ１４を含む前記指定チャンネル情報ｄ１（図２参照）を、前述したキーワード録画処理に用いることが考えられる。
例えば、制御回路８及びＯＳＤ処理回路５により、所定のキーワード録画予約画面の映像を生成してモニタ画面２１に表示させることにより、前記指定チャンネル情報ｄ１における放送系列名ｄ１４を含むキーワード情報の入力処理を実行する（キーワード情報入力手段の一例）。
図６に、キーワード録画予約画面ｇ５の一例を示す。
図６に示すように、制御回路８及びＯＳＤ処理回路５により、例えば、放送チャンネルを指定するキーワード情報の選択肢として、前記指定チャンネル情報ｄ１に含まれる放送系列名ｄ１４を一覧表示させる放送系列メニュー映像ｇ５１をモニタ画面２１に表示させる。さらに、制御回路８により、リモコンインターフェース回路９からの伝送信号に基づいて、リモコン７を通じて放送系列名ｄ１４の指定（選択）がなされた場合、その放送系列名ｄ１４をキーワード情報に含められる。なお、図６に示すように、キーワード情報として入力できる情報には、放送系列名ｄ１４の他、放送日（曜日）や放送開始時刻、放送番組のジャンル等の番組内容情報も含まれる。
【００２５】
そして、制御回路８により、リモコンインターフェース回路９からの伝送信号に基づいて、キーワード録画予約画面ｇ５における予約登録ボタンｇ５２が操作されたことが検知されると、さらに、制御回路８により、入力されたキーワード情報とステップＳ２（図３参照）で取得されたＥＰＧ情報とに基づいて、キーワード情報に対応する特定の放送番組が特定される（放送番組特定手段の一例）。このとき、ＥＰＧ情報に含まれる放送番組の内容情報から、その放送番組の放送開始時刻及び放送終了時刻も特定される。以下、キーワード情報に基づき特定された放送番組のことを、キーワード特定番組という。
さらに、制御回路８により、前記キーワード特定番組の放送開始時刻になったか否かが監視され、放送開始時刻になると、各チューナ１ａ〜１ｃが制御され、テレビジョン放送信号から前記キーワード特定番組の番組映像及び音声の信号が抽出される（特定番組映像抽出手段の一例）。併せて、前記キーワード特定番組の映像及び音声が映像処理回路４及び音声処理回路１１により出力されるように、制御回路８により、映像切替回路３及び音声切替回路１０が制御される。
【００２６】
さらに、制御回路８により、前記外部出力回路１２を通じて、接続された外部の録画装置に対して、前記キーワード特定番組の映像信号及び音声信号が出力されるとともに、制御信号として録画開始指令信号が送信される。その後、前記キーワード特定番組の終了時刻になると、外部出力回路１２を通じた映像信号及び音声信号の出力が停止されるとともに、制御回路８から外部出力回路１２を通じて、制御信号として録画終了指令信号が送信される。
これにより、放送系列名ｄ１４を含むキーワード情報及びＥＰＧ情報により特定された放送番組が、外部接続された録画装置に録画される。
このような実施形態も、本発明の適用例である。もちろん、本発明を、テレビジョン受像機としての録画装置に適用し、自装置が備えるハードディスクドライブ等の記憶装置や、所定のインターフェースに装着される記憶メディア（ＤＶＤディスク等）に、前記キーワード特定番組を録画する実施形態も考えられる。
【００２７】
また、前述した実施形態では、放送系列名ｄ１４と対応付けて記憶される放送局の識別情報が放送チャンネル番号ｄ１１である場合の例を示したが、これ以外の実施例も考えられる。
例えば、放送局名や放送局コードを放送局の識別情報として捉えることも考えられる。この場合、ＥＥＰＲＯＭ８ｃに、全国の放送局名若しくは放送局コードとその各々の放送系列名との対応情報（以下、放送局名−系列名対応情報という）を予め記憶しておき、ＥＰＧ情報に基づいてこれに含まれる放送局名若しくは放送局コードが特定された場合に、制御回路８により、その放送局名若しくは放送局コードに対応する放送系列名ｄ１４を前記放送局名−系列名対応情報を参照して特定し、特定した放送系列名ｄ１４をモニタ画面２１に表示させることが考えられる。
【００２８】
また、前述した実施形態では、ＥＥＰＲＯＭ８ｃに複数のチャンネル情報ｄ１を地域コードｄ１０ごとに予め記憶する例を示したが、これ以外の実施例も考えられる。
例えば、インターネット等のネットワークを介して通信可能なネットワークインターフェース（通信手段）を備える場合に、前述したように初期設定時に、複数の地域コードｄ１０（地域識別情報の一例）の中から１つの地域コードが選択（指定）された際に、制御回路８ｃにより、そのネットワークインターフェースを介して外部装置（インターネット上のサーバ装置等）と通信を行い、選択された地域コードｄ１０（前記指定地域コード）に対応するチャンネル情報ｄ１を、外部装置からネットワークを通じて取得し、ＥＥＰＲＯＭ８ｃに格納することも考えられる（放送局・放送系列対応情報格納手段の一例）。
これにより、複数の地域のチャンネル情報ｄ１を記憶しておく必要がないので、ＥＥＰＲＯＭ８ｃの記憶容量を小さくすることができる。また、放送局名と放送系列名との対応関係やその名称の変更に対して柔軟に対応できる。
【産業上の利用可能性】
【００２９】
本発明は、テレビジョン受像機に利用可能である。
【図面の簡単な説明】
【００３０】
【図１】本発明の実施形態に係る表示装置の一例であるテレビジョン受像機Ｘの概略構成を表すブロック図。
【図２】テレビジョン受像機Ｘに記憶されるチャンネル情報の構成例を表す図。
【図３】テレビジョン受像機Ｘにおける番組映像表示処理の手順を表すフローチャート。
【図４】テレビジョン受像機Ｘによりモニタ画面に表示される番組映像表示画面の例を表す図。
【図５】テレビジョン受像機Ｘによりモニタ画面に表示される番組ガイド表示画面の例を表す図。
【図６】テレビジョン受像機Ｘによりモニタ画面に表示されるキーワード入力画面の例を表す図。
【符号の説明】
【００３１】
Ｘ…テレビジョン受像機
１ａ、１ｂ、１ｃ…チューナ
２…外部入力部
３…映像切替回路
４…映像処理回路
５…ＯＳＤ処理回路
７…リモコン
８…制御回路
９…リモコンインターフェース回路
１０…音声切替回路
１１…音声処理回路
１２…外部出力回路
２１…モニタ画面
ｄ１…チャンネル情報
ｄ１０…地域コード
ｄ１１…放送チャンネル番号
ｄ１４…放送系列名
Ｓ１、Ｓ２、・・…ステップ（処理手順）
【図１】
2007116229.tif 000003
【図２】
2007116229.tif 000004
【図３】
2007116229.tif 000005
【図４】
2007116229.tif 000006
【図５】
2007116229.tif 000007
【図６】
2007116229.tif 000008